(57)【要約】【課題】プレス加工によって容易に成形し得ると共に、溶接によって容易に接合し得る鈑金製のエルボ部材を備えた排気ガス浄化装置を提供する。【解決手段】鈑金製のエルボ部材３０を構成する第１及び第２の分割部材３１、３２が、第１及び第２の接合部３１ａ、３２ａで接合された状態で、フランジ部材２０の開口部２０ａを含む面に対し第１及び第２の接合部の端面が平行となるように配置され、第１の開口端部３０ａがフランジ部材に接合されると共に、第１及び第２の嵌合部３１ｂ、３２ｂが触媒コンバータ１０の上流側に接合されている。【選択図】図１
2018173065.tif 000002
【特許請求の範囲】
【請求項１】
内燃機関の排気系に連通接続される触媒コンバータを備えた排気ガス浄化装置であって、
前記内燃機関に接合され、前記排気系に連通する開口部を有するフランジ部材と、
該フランジ部材に接合され、前記開口部に連通する第１の開口端部を有すると共に、該第１の開口端部の端面に対し所定角度を成す端面を有し、前記触媒コンバータの上流側に接合される第２の開口端部を有する鈑金製のエルボ部材とを備え、
該エルボ部材が、
前記触媒コンバータの上流側に接合される第１の嵌合部を有し、前記第１の開口端部を一方の側面に有すると共に、反対側の側面に第１の接合部を有する第１の分割部材と、
前記触媒コンバータの上流側に接合され、前記第２の開口端部を構成する第２の嵌合部を有すると共に、前記第１の接合部に接合される第２の接合部を有する第２の分割部材とを具備し、
前記第１及び第２の分割部材が、前記第１及び第２の接合部で接合された状態で、前記フランジ部材の開口部を含む面に対し前記第１及び第２の接合部の端面が平行となるように配置され、前記第１の開口端部が前記フランジ部材に接合されると共に、前記第１及び第２の嵌合部が前記触媒コンバータの上流側に接合されていることを特徴とする排気ガス浄化装置。
【請求項２】
前記排気系から排出される排気ガスの成分を検出するセンサを備え、
前記第２の分割部材は、
前記センサを支持する台座面を有することを特徴とする請求項１記載の排気ガス浄化装置。
【請求項３】
前記第２の分割部材は、
前記台座面と前記第２の接合部との間に、前記フランジ部材の開口部に対向する壁面を有することを特徴とする請求項２記載の排気ガス浄化装置。
【請求項４】
前記第１の分割部材は、
前記第１の開口端部の外面が前記フランジ部材の開口部の内面に密着して固定されていることを特徴とする請求項１乃至３の何れか一項に記載の排気ガス浄化装置。
【請求項５】
前記第１の開口端部の端面に対する前記第２の開口端部の端面の所定角度が９０度であることを特徴とする請求項１乃至４の何れか一項に記載の排気ガス浄化装置。
【発明の詳細な説明】
【技術分野】
【０００１】
本発明は、排気ガス浄化装置に関し、特に、内燃機関の排気系に連通接続される触媒コンバータを備えた排気ガス浄化装置に係る。
【背景技術】
【０００２】
内燃機関の排気系から排出される排気ガスを高温の上流で処理すべく、触媒コンバータを排気ポート直下に配置され、極力短い管路で排気ポートに連通接続される排気ガス浄化装置が多用され、所謂マニバータとして知られている。この種の触媒コンバータが連通接続される排気系として、複数の排気マニホールドを単一の排気ポートに集合させたものや、ターボチャージャの排気ポートがあり、これらに連通する開口部を有するフランジ部材を介して触媒コンバータが接合されている。
【０００３】
前者の一例として、下記の特許文献１には、排気ポート集合部または排気マニホールドの下流端に配置された直下型触媒により排気ガスを浄化する排気ガス浄化装置が開示されており、その図１０には、特許文献１が特徴とする圧力損失調整部材を備えていない直下型触媒の上流部が図示されている。また、後者の一例として、下記の特許文献２に、タービンハウジングと、これに接続されるコンバータとの接続構造が開示されており、コンバータは触媒エルボ及びフランジを介してタービンハウジングに接続されている。
【先行技術文献】
【特許文献】
【０００４】
【特許文献１】特許第４４７５９８０号公報
【特許文献２】特開２０１６−１６０８０６号公報
【発明の概要】
【発明が解決しようとする課題】
【０００５】
上記の排気ガス浄化装置を構成するコンバータ容器、排気マニホールドや触媒エルボは、近時の軽量化、高耐熱性、低ヒートマス化の要請から、鋳物製に代わり、ステンレスに代表される鈑金製のものが用いられている。特に、特許文献２の図１に示された触媒エルボや特許文献１の図１０等に示された上流側ケースは複雑な３次元曲面を有している。そして、特許文献２の図１から明らかなように、触媒エルボは複数の分割部材が接合されて形成されており、各部材の接合面も３次元形状とされている。上記の触媒エルボや上流側ケースは、触媒コンバータに接合されるエルボ部材ということができるが、このようなエルボ部材を鈑金製とするには、プレス加工や溶接作業が困難で、コストアップ要因となっている。
【０００６】
そこで、本発明は、触媒コンバータに接合されるエルボ部材の設計要件を充足しつつ、プレス加工によって容易に成形し得ると共に、溶接によって容易に接合し得る鈑金製のエルボ部材を備えた排気ガス浄化装置を提供することを課題とする。
【課題を解決するための手段】
【０００７】
上記の課題を達成するため、本発明は、内燃機関の排気系に連通接続される触媒コンバータを備えた排気ガス浄化装置であって、前記内燃機関に接合され、前記排気系に連通する開口部を有するフランジ部材と、該フランジ部材に接合され、前記開口部に連通する第１の開口端部を有すると共に、該第１の開口端部の端面に対し所定角度を成す端面を有し、前記触媒コンバータの上流側に接合される第２の開口端部を有する鈑金製のエルボ部材とを備え、該エルボ部材が、前記触媒コンバータの上流側に接合される第１の嵌合部を有し、前記第１の開口端部を一方の側面に有すると共に、反対側の側面に第１の接合部を有する第１の分割部材と、前記触媒コンバータの上流側に接合され、前記第２の開口端部を構成する第２の嵌合部を有すると共に、前記第１の接合部に接合される第２の接合部を有する第２の分割部材とを具備し、前記第１及び第２の分割部材が、前記第１及び第２の接合部で接合された状態で、前記フランジ部材の開口部を含む面に対し前記第１及び第２の接合部の端面が平行となるように配置され、前記第１の開口端部が前記フランジ部材に接合されると共に、前記第１及び第２の嵌合部が前記触媒コンバータの上流側に接合されている排気ガス浄化装置である。尚、上記の「平行」は実質的に平行であることを意味し、若干の角度を成すことを排除するものではない。
【０００８】
上記の排気ガス浄化装置において、前記排気系から排出される排気ガスの成分を検出するセンサを備えたものとし、前記第２の分割部材が、前記センサを支持する台座面を有する構成とするとよい。更に、前記第２の分割部材は、前記台座面と前記第２の接合部との間に、前記フランジ部材の開口部に対向する壁面を有するものとするとよい。
【０００９】
一方、前記第１の分割部材は、前記第１の開口端部の外面が前記フランジ部材の開口部の内面に密着して固定されているものとするとよい。前記第１の開口端部の端面に対する前記第２の開口端部の端面の所定角度は、例えば９０度とするとよい。
【発明の効果】
【００１０】
本発明は上述のように構成されているので以下の効果を奏する。即ち、本発明は、内燃機関に接合され、排気系に連通する開口部を有するフランジ部材と、フランジ部材に接合され、前記開口部に連通する第１の開口端部を有すると共に、第１の開口端部の端面に対し所定角度を成す端面を有し、触媒コンバータの上流側に接合される第２の開口端部を有する鈑金製のエルボ部材とを備え、このエルボ部材が、触媒コンバータの上流側に接合される第１の嵌合部を有し、第１の開口端部を一方の側面に有すると共に、反対側の側面に第１の接合部を有する第１の分割部材と、触媒コンバータの上流側に接合され、第２の開口端部を構成する第２の嵌合部を有すると共に、第１の接合部に接合される第２の接合部を有する第２の分割部材とを具備し、第１及び第２の分割部材が、第１及び第２の接合部で接合された状態で、フランジ部材の開口部を含む面に対し第１及び第２の接合部の端面が平行となるように配置され、第１の開口端部がフランジ部材に接合されると共に、第１及び第２の嵌合部が触媒コンバータの上流側に接合されているので、エルボ部材に形成される曲面部と、エルボ部材を構成する第１及び第２の分割部材の接合部とが確実に分離され、相互に干渉するおそれがないので、エルボ部材の形状の自由度が著しく向上する。また、第１及び第２の分割部材の接合部は実質的に平面とすることができるので、第１及び第２の分割部材をプレス加工によって容易に成形できると共に、溶接によって両分割部材を容易に接合することができる。
【００１１】
上記の第２の分割部材は、センサを支持する台座面を有する構成とすれば、台座面を含む曲面部と第１及び第２の分割部材の接合部とを確実に分離することができるので、エルボ部材の形状の自由度が著しく向上する。更に、第２の分割部材が、台座面と第２の接合部との間に、フランジ部材の開口部に対向する壁面を有する構成とすれば、内燃機関の排気系からフランジ部材の開口部及びエルボ部材の第１の開口端部を介してエルボ部材内に導入される排気ガスは、上記の壁面に衝突し、強制的に第２の開口端部方向に変向され、センサ先端の検知部に確実に接触するので、センサの検知精度が向上する。そして、第２の開口端部方向に変向された排気流は触媒コンバータ内の触媒担体の上端面を指向することになるので、触媒担体の上端面に対し均一に供給され、浄化率が向上する。
【００１２】
また、第１の分割部材は、第１の開口端部の外面がフランジ部材の開口部の内面に密着して固定されている構成とすれば、別途接続部材を必要とすることなく、第１の開口端部を介してフランジ部材に密着接合することができるので、エルボ部材の設計自由度が向上する。尚、上記エルボ部材における第１及び第２の開口端部の両端面間の所定角度としては、９０度を含み種々の角度に設定することができる。
【図面の簡単な説明】
【００１３】
【図１】本発明の一実施形態に係る排気ガス浄化装置の正面図である。
【図２】本発明の一実施形態におけるフランジ部材及びエルボ部材の断面図である。
【図３】本発明の一実施形態に係る排気ガス浄化装置の一部の左側面図である。
【図４】本発明の一実施形態に係る排気ガス浄化装置の一部の右側面図である。
【図５】本発明の一実施形態における第１の開口端部の拡大断面図である。
【発明を実施するための形態】
【００１４】
以下、本発明の望ましい実施形態について図面を参照して説明する。図１乃至図４は本発明の一実施形態に係る排気ガス浄化装置を示すもので、触媒コンバータ１０、フランジ部材２０及びエルボ部材３０を備えている。触媒コンバータ１０は、従前のものと同様、筒状の本体部１０ａ内に触媒担体１１が内蔵されており、上流側の端部１０ｂは本体部１０ａと同径で最大径部となっているが、下流側の端部１０ｃは縮径されて円錐形状となっており、その最小径部（直管部）には、排気管（図示せず）に接合されるフランジ部材５０が固定されている。尚、本体部１０ａには装着用のブラケット１２、１３が固着されている。
【００１５】
本実施形態のフランジ部材２０は鉄又はステンレス製の板材で、内燃機関（図示せず）の排気系に連通する開口部２０ａを有し、内燃機関のシリンダヘッド（図示せず）又はターボハウジング（図示せず）に接合される。一方、エルボ部材３０はステンレスの鈑金製で、フランジ部材２０の開口部２０ａに連通する第１の開口端部３０ａを有すると共に、第１の開口端部３０ａの端面に対し所定角度（本実施形態では実質的に９０度）を成す端面を有し、触媒コンバータ１０の上流側に接合される第２の開口端部３０ｂを有する。
【００１６】
本実施形態のエルボ部材３０は、第１の分割部材３１及び第２の分割部材３２が接合されて成る。第１の分割部材３１は、触媒コンバータ１０の上流側に接合される第１の嵌合部３１ｂを有し、第１の開口端部３０ａを一方の側面に有すると共に、反対側の側面に第１の接合部３１ａを有する。第２の分割部材３２は、触媒コンバータ１０の上流側に接合され、第２の開口端部３０ｂを構成する第２の嵌合部３２ｂを有すると共に、第１の接合部３１ａに接合される第２の接合部３２ａを有する。
【００１７】
そして、図２に示すように、第１及び第２の分割部材３１及び３２が、第１及び第２の接合部３１ａ及び３２ａで接合された状態で、フランジ部材２０の開口部２０ａを含む面に対し第１及び第２の接合部３１ａ及び３２ａの端面が実質的に平行となるように配置され、第１の開口端部３０ａがフランジ部材２０に接合されると共に、第１及び第２の嵌合部３１ｂ及び３２ｂが触媒コンバータ１０の上流側の端部１０ｂに接合されている。本実施形態においては、第１及び第２の分割部材３１及び３２は、図２に示すように重合され、第１及び第２の接合部３１ａ及び３２ａの端面が夫々、本体部１０ａの中心軸ＣＬを含む面の近傍で平行となるように接合され、重合部が溶接（図２にｗで示す）されている。従って、第１及び第２の分割部材３１及び３２をプレス加工する際には負角が形成されることなく、容易且つ円滑に成形することができる。
【００１８】
而して、図２に示すように、エルボ部材３０に形成される曲面部と、第１及び第２の分割部材３１及び３２の接合部とが確実に分離され、相互に干渉するおそれがないので、エルボ部材の形状の自由度が著しく向上する。また、第１及び第２の分割部材３１及び３２の接合部は実質的に平面とすることができるので、第１及び第２の分割部材３１及び３２をプレス加工によって容易に成形できると共に、溶接によって両分割部材を容易に接合することができる。
【００１９】
一方、第１の分割部材３１は、第１の開口端部３０ａの外面がフランジ部材２０の開口部２０ａの内面に密着するように配設され、第１の開口端部３０ａの先端部で溶接（図２にｗで示す）されて固定されている。特に、第１の開口端部３０ａは、図５に拡大して示すように、第１の分割部材３１の一般面から起設させたバーリング部の先端部分であり、この部分が従前の接続部材として機能する。そして、第１の開口端部３０ａは、その先端面がフランジ部材２０の開口部２０ａの軸方向中間部に位置するように配置され、第１の開口端部３０ａの全周と開口部２０ａの内面が隅肉溶接（図５にｗで示す）されて固定されている。而して、別途接続部材を必要とすることなく、第１の開口端部３０ａを介してフランジ部材２０に密着接合することができるので、エルボ部材３０の設計自由度が大幅に向上する。
【００２０】
更に、排気系から排出される排気ガスの成分を検出するセンサ（図示せず）を備えており、第２の分割部材３２は台座面３２ｃを有し、これにセンサ用の台座４０が接合されている。これにより、台座面３２ｃを含む曲面部と第１及び第２の分割部材３１及び３２の接合部とを確実に分離することができるので、エルボ部材３０の形状の自由度が著しく向上する。尚、台座面３２ｃにはセンサ挿通用の開口３２ｅが形成されており、図２及び図３に示すように、開口３２ｅに台座４０が嵌合され、その段部で開口３２ｅの周縁部に係止されるように構成されている。
【００２１】
また、第２の分割部材３２は、図１及び図２に示すように、台座面３２ｃと第２の接合部３２ａとの間に、フランジ部材２０の開口部２０ａに対向する壁面３２ｄを有する。而して、内燃機関の排気系からフランジ部材２０の開口部２０ａ及びエルボ部材３０の第１の開口端部３０ａを介してエルボ部材３０内に導入される排気ガスは、壁面３２ｄに衝突し、強制的に第２の開口端部３０ｂ方向に変向され、センサ先端の検知部に確実に接触するので、センサの検知精度が向上する。そして、第２の開口端部３０ｂ方向に変向された排気流は触媒コンバータ１０内の触媒担体１１の上端面を指向することになり、触媒担体１１の上端面に対し均一に供給されるので、その浄化率が向上する。
【符号の説明】
【００２２】
１０    触媒コンバータ
１１    触媒担体
２０    フランジ部材
２０ａ  開口部
３０    エルボ部材
３０ａ  第１の開口端部
３１    第１の分割部材
３１ａ  第１の接合部
３１ｂ  第１の嵌合部
３２    第２の分割部材
３２ａ  第２の接合部
３２ｂ  第２の嵌合部
３２ｃ  台座面
３２ｄ  壁面
３２ｅ  開口
４０    台座
【図１】
2018173065.tif 000003
【図２】
2018173065.tif 000004
【図３】
2018173065.tif 000005
【図４】
2018173065.tif 000006
【図５】
2018173065.tif 000007